(57)【要約】【課題】意匠部分の一体感を向上させることができる表示装置を提供する。【解決手段】光源１１ａを搭載した光源基板１１と、光源１１ａを囲い光を導く遮光壁３１を有する中ケース２３と、遮光壁３１により導かれた光を拡散し透過させる拡散板１３と、拡散板１３を覆い拡散板１３を透過した光を透過させるカバー１４と、拡散板１３とカバー１４との間に設けられ、意匠を形成する意匠層４２と、を備える。ケース１４の少なくとも意匠層４２と対向する面および意匠層４２は、同系色である。【選択図】図４
2019082453.tif 000002
【特許請求の範囲】
【請求項１】
光源を搭載した基板と、
前記光源を囲い光を導く遮光壁を有するケースと、
前記遮光壁により導かれた光を拡散し透過させる拡散板と、
前記拡散板を覆い前記拡散板を透過した光を透過させるカバーと、
前記拡散板または前記カバーに設けられ、意匠を形成する意匠層と、を備え、
前記ケースの少なくとも前記拡散板に対向する面および前記意匠層は、同系色である表示装置。
【請求項２】
前記ケースと前記拡散板とを接着する接着部材をさらに備える請求項１記載の表示装置。
【請求項３】
前記ケース、前記意匠層および前記カバーは、同系色である請求項１または２記載の表示装置。
【請求項４】
前記ケース、前記意匠層および前記カバーは、黒色である、請求項３記載の表示装置。
【発明の詳細な説明】
【技術分野】
【０００１】
本発明は、車両などに搭載される表示装置に関する。
【背景技術】
【０００２】
自動車などの車両には、速度計、エンジン回転計などの運転に必要な情報を表示する表示装置が搭載されている。このような表示装置の一つとして、セグメント式の表示装置が知られている。セグメント式の表示装置は、照明領域がケースで区切られた光源を個別に点灯させ、その組み合わせにより数字や記号、文字などの表示内容を形成する。
【先行技術文献】
【特許文献】
【０００３】
【特許文献１】特開２０１２−３２２９７号公報
【発明の概要】
【発明が解決しようとする課題】
【０００４】
セグメント式の表示装置は、光源の光を透過させる前面側の部材によっては、光源が点として視認されてしまい（いわゆる「玉見え」）、液晶表示装置に比べて視認性や商品性に劣る。
【０００５】
本発明はこのような事情を考慮してなされたもので、意匠部分の一体感を向上させることができる表示装置を提供することを目的とする。
【課題を解決するための手段】
【０００６】
本発明に係る表示装置は、上述した課題を解決するために、光源を搭載した基板と、前記光源を囲い光を導く遮光壁を有するケースと、前記遮光壁により導かれた光を拡散し透過させる拡散板と、前記拡散板を覆い前記拡散板を透過した光を透過させるカバーと、前記拡散板と前記カバーとの間に設けられ、意匠を形成する意匠層と、を備え、前記ケースの少なくとも前記意匠層と対向する面および前記意匠層は、同系色である。
【発明の効果】
【０００７】
本発明に係る表示装置においては、意匠部分の一体感を向上させることができる。
【図面の簡単な説明】
【０００８】
【図１】本発明に係る表示装置の実施形態であり、表示装置の一部を示す正面図。
【図２】表示装置の分解斜視図。
【図３】図１のII−II線に沿う断面図。
【図４】図３の断面図の一部を拡大した概念図。
【発明を実施するための形態】
【０００９】
本発明に係る表示装置の実施形態を添付図面に基づいて説明する。本発明に係る表示装置は、例えば自動車や二輪車などの車両や、船舶、農業機械、建設機械に搭載される。本実施形態においては、表示装置が速度計２と、エンジン回転計３と、を主に有している例を用いて説明する。
【００１０】
図１は、本発明に係る表示装置の実施形態であり、表示装置１の一部を示す正面図である。
【００１１】
図２は、表示装置１の分解斜視図である。
【００１２】
図３は、図１のII−II線に沿う断面図である。
【００１３】
図４は、図３の断面図の一部を拡大した概念図である。
【００１４】
以下の説明において、「前面側」は図１における手前側であり視認者に視認される側を意味し、「背面側」は図１における奥側を意味する。
【００１５】
表示装置１は、照明領域が区切られた光源１１ａを個別に点灯させ、その組み合わせにより数字および目盛並びに文字および記号などの表示内容を形成するセグメント式の表示装置である。
【００１６】
表示装置１は、光源基板１１と、ケース１２と、拡散板１３と、カバー１４と、接着部材１５と、を有している。
【００１７】
光源基板１１（基板）は、ＬＥＤ（Light Emitting Diode ）からなる光源１１ａを搭載している。光源１１ａは、表示装置１の意匠を構成するセグメント数および位置に応じて設けられている。光源基板１１の基板前面１１ｂには、光源１１ａの回りを囲むようにシルクスクリーン印刷などにより黒色印刷層が形成されている。
【００１８】
ケース１２は、下ケース２１と、上ケース２２と、中ケース２３と、を有している。下ケース２１は、光源基板（制御基板）１１および中ケース２３をネジ２５により固定し収容する。
上ケース２２は、下ケース２１と嵌まり合い、表示装置１の外形を形成する。また、上ケース２２は、カバー１４が取り付けられる開口２２ａを有している。
中ケース２３（ケース）は、光源基板１１を支持する。中ケース２３は、黒色の合成樹脂により形成されている。また、中ケース２３は、光源１１ａを囲い光を導く遮光壁３１を有している。遮光壁３１は、光源１１ａの照明（発光）領域を区切る壁で筒状の空間を形成しており、光はこの筒状の空間を通る。遮光壁３１の一端３１ａは光源基板１１に当接されており、他端（中ケース２３の意匠層４２と対向する面）３１ｂは拡散板１３に当接されている。
【００１９】
拡散板１３は、薄板状の基材の表裏に、図４に示すように、拡散層４１と、意匠層４２と、を有している。
拡散層４１は、拡散板１３の基材である。拡散層４１（基材）は、例えば、拡散材料が含有された透明または半透明の透光（透過）性のポリカーボネート樹脂からなり、半透明の乳白色である。拡散層４１は、遮光壁３１により導かれた光を拡散し透過させる。一方、拡散層４１は、表示装置１の内部は見えないようになっている。これにより、拡散層４１は、光源１１ａの光が点光源として視認者に視認されること（いわゆる「玉見え」）を防止する。
意匠層４２は、拡散板１３の基材の背面側（中ケース２３と対向する面側）に設けられた印刷層である。意匠層４２は、光源１１ａの光を透過する領域以外の領域を遮光するように、中ケース２３と同系色である黒色のインキで印刷することにより形成されている。すなわち、印刷されていない（意匠層４２が設けられていない）拡散板１３の基材部分が意匠部分となる。意匠部分は、具体的には、速度計２の数字４２ａ、単位４２ｂ（Ｋｍ／ｈ）、エンジン回転計３の回転量を示すバー４２ｃなどである。
【００２０】
カバー１４は、拡散板１３を覆い（拡散板１３に積層され）、拡散板１３を透過した光を透過させる。カバー１４は、黒色または黒色に明度が近い例えば半透明の透光性のガラスやポリカーボネート樹脂からなる。カバー１４は、樹脂からなる基材の表裏面に、透過率を低減した（例えば透過率６０％以下の）スモーク（半透明インキ）層を有している。または、カバー１４は、スモーク材料（半透明樹脂）により形成されている。カバー１４は、拡散板１３の透過光の拡散効果を得るため、拡散板１３との間に空気層を介して積層されるのが好ましい。なお、カバー１４がスモーク層を有する場合、スモーク層はカバー１４の背面側に設けられることにより、表示装置１に液晶表示装置のような外観を持たせることができる。なお、カバー１４は、中ケース２３および意匠層４２の色と同系色であるのが外観の統一感から好ましい。
【００２１】
接着部材１５は、中ケース２３と拡散板１３とを接着する。接着部材１５は、拡散板１３の意匠層４２に印刷された接着層、または、中ケース２３と意匠層４２との間に配置された両面接着シートである。なお、接着部材１５は、中ケース２３および意匠層４２の色と同系色であるのが外観の統一感から好ましい。
【００２２】
このような本実施形態における表示装置１は、中ケース２３とカバー１４との間に、いわゆる玉見えを防止するために拡散板１３を設けた。ここで、中ケース２３の色味や、光の透過方向における意匠層４２の位置を考慮せず拡散板１３を設けた場合、拡散板１３の拡散層４１から中ケース２３の色味が視認されてしまう。例えば、中ケース２３が白色で、拡散層４１が半透明の乳白色である場合、特に表示装置１を斜め方向から視認した場合においては、中ケース２３の白色が拡散層４１により強調されてしまい、意匠層４２の黒色との色調の違いが強調されてしまう。これにより、表示装置１の意匠部分の一体感が低下し、商品性の低下につながる恐れがある。
【００２３】
これに対し、本実施形態における表示装置１は、中ケース２３の色と、意匠層４２を設ける位置とを好適に設計することにより、拡散板１３を設けたことに伴う意匠部分の一体感の低下を解消することができる。すなわち、中ケース２３および意匠層４２の色を同系色である黒色にした。これにより、図４に示すように、意匠層４２に対して中ケース２３の他端３１ｂが幅ｄ分ずれ、他端３１ｂが意匠層４２からはみ出したとしても、意匠層４２と中ケース２３とは同系色であるため視認者に色味の違いが認識されることを低減することができる。また、幅ｄ分のずれは、半透明の拡散板１３により視覚的に緩和されるため、色味の違いが認識されることをより低減することができる。また、表示装置１においては、意匠層４２と中ケース２３とを接着部材１５を介して近接させて配置した。これにより、意匠層４２と中ケース２３の他端３１ｂとは距離が近くなり、意匠層４２と他端３１ｂとの距離が離れたことに伴う段差感を可能な限り小さくすることができる。
【００２４】
また、拡散板１３は、接着部材１５を介して確実に他端３１ｂに固定されているため、遮光壁３１に導かれた光を漏らすことなく確実に拡散板１３に導くことができる。さらに、接着部材１５は、意匠層４２の背面側に設けられているため、接着部材１５自体が前面側に露出せず、意匠部分の見た目を損なうことがない。また、接着部材１５を黒色にすることにより、かりに接着部材１５が露出したとしても、意匠層４２と中ケース２３と同系色であるため、色彩の違いに基づく違和感を与えることがない。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２６】
例えば、意匠層４２は、拡散板１３の基材の背面側に設けられる例を説明したが、拡散板１３とカバー１４との間に設けられればよい。例えば、意匠層４２は、拡散板１３の基材の前面側、カバー１４の背面側（中ケース２３と対向する面側）に設けられてもよい。また、意匠層４２は、拡散板１３やカバー１４とは独立した部材（例えばシート状部材）として設けられてもよい。
【００２７】
また、意匠層４２、中ケース２３がともに黒色である例を説明したが、これに限らず同系色であればよい。同系色とは、例えば色相環の近くに隣り合う色や、黒色については明度が近いものなどである。また、中ケース２３は、意匠層４２と同系色の黒色に形成される例を説明したが、同系色とは異なる白色などで形成され、かつ遮光壁３１の他端３１ｂ（ケース１４の少なくとも意匠層４２と対向する面）のみが同系色の黒色に着色されていてもよい。
【００２８】
拡散層４１は、拡散板１３の基材としてではなく、基材に形成された層であってもよい。例えば、拡散層４１は、透明な樹脂シートからなる基材の表裏面に、半透明の乳白色のインキが印刷されて形成された印刷層であってもよい。
【符号の説明】
【００２９】
１  表示装置
２  速度計
３  エンジン回転計
１１  光源基板
１２  ケース
１３  拡散板
１４  カバー
１５  接着部材
２１  下ケース
２２  上ケース
２２ａ  開口
２３  中ケース
２５  ネジ
３１  遮光壁
３１ａ  一端
３１ｂ  他端（中ケースの意匠層と対向する面）
４１  拡散層
４２  意匠層
４２ａ  数字
４２ｂ  単位
４２ｃ  バー
【図１】
2019082453.tif 000003
【図２】
2019082453.tif 000004
【図３】
2019082453.tif 000005
【図４】
2019082453.tif 000006